(57)【要約】【課題】複数の種別のクライアント信号を通信事業者管理フレームへマッピングする送信装置と、通信事業者管理フレームから当該クライアント信号を再生する受信装置を提供する。【解決手段】送信装置１０のクライアント信号識別回路５０は、受信したクライアント信号に含まれている信号の種別情報を識別する。フレーム生成則選択回路１４は、その種別情報に従って該当するフレーム生成則を選択する。フレーム生成回路１２は、そのフレーム生成則に従って、クライアント信号を通信事業者管理フレームにマッピングして多重化伝送装置３０ａに送信する。受信装置２０のクライアント信号読取回路２３は、受信した通信事業者管理フレームからクライアント信号の種別情報を読み取る。フレーム解除則選択回路２４は、その種別情報に対応するフレーム解除則を選択する。フレーム解除回路２２は、そのフレーム解除則に従ってクライアント信号を再生する。【選択図】    図１
2005328264.tif 000002
【特許請求の範囲】
【請求項１】
クライアント端末と通信事業者の伝送装置とを接続する送信装置であって、
前記クライアント端末から複数の種別のクライアント信号を受信するクライアント信号受信回路と、
前記クライアント信号受信回路から前記クライアント信号を受信し、前記クライアント信号に含まれている信号の種別情報を識別するクライアント信号識別回路と、
前記伝送装置によって伝送される通信事業者管理フレームに前記クライアント信号をマッピングする規則であるフレーム生成則を前記クライアント信号の前記種別情報ごとに予め記憶するフレーム生成則記憶回路と、
前記クライアント信号識別回路によって識別された前記種別情報に従って、前記フレーム生成則記憶回路から該当する前記フレーム生成則を選択するフレーム生成則選択回路と、
選択された前記フレーム生成則に従って、前記クライアント信号受信回路から受信した前記クライアント信号を前記通信事業者管理フレームにマッピングして生成した前記通信事業者管理フレームを前記伝送装置に送信するフレーム生成回路と、
を備えたことを特徴とする送信装置。
【請求項２】
前記クライアント信号に含まれている管理情報の読み取り規則である管理情報読取則を前記クライアント信号の前記種別情報ごとに記憶する管理情報読取則記憶回路と、
前記クライアント信号識別回路から前記クライアント信号の前記種別情報を受信し、前記種別情報に対応する前記管理情報読取則を前記管理情報読取則記憶回路から選択する管理情報読取則選択回路と、
選択された前記管理情報読取則に従って、前記クライアント信号受信回路から受信した前記クライアント信号の前記管理情報を読み取って前記管理情報を外部に出力し、前記クライアント信号を前記フレーム生成回路に送信する管理情報読取回路と、
を備えたことを特徴とする請求項１に記載の送信装置。
【請求項３】
前記クライアント信号識別回路は、
受信した前記クライアント信号の伝送速度を識別する伝送速度識別回路と、
前記クライアント信号の種類情報及び前記伝送速度に対応するフレーム同期則を記憶しているフレーム同期則記憶回路と、
前記伝送速度識別回路によって識別された前記伝送速度に従って、前記クライアント信号が前記通信事業者管理フレームに同期するまで前記フレーム同期則記憶回路から該当する前記フレーム同期則を選択し、同期した時点の前記種類情報と前記伝送速度から特定される前記種別情報を出力するフレーム同期則選択回路と、
前記フレーム同期則選択回路によって選択された前記フレーム同期則に従って、前記クライアント信号と前記通信事業者管理フレームの間で同期を行い、同期したか否かの結果を前記フレーム同期則選択回路に送信するフレーム同期回路と、
を備えたことを特徴とする請求項１または２に記載の送信装置。
【請求項４】
前記フレーム同期則記憶回路は、ＳＤＨ信号と、ＯＴＮ信号と、ＩＥＥＥ８０２．３信号と、ファイバチャネル信号を前記種類情報とし、前記種類情報ごとに前記フレーム同期則を記憶しており、
前記フレーム同期則選択回路は、
前記クライアント信号の前記伝送速度が前記フレーム同期則記憶回路が記憶しているＳＤＨ信号の前記フレーム同期則に存在するか否かを確認し、存在する場合には前記フレーム同期則を前記フレーム同期回路に送信し、前記フレーム同期回路からフレーム同期するという結果を受信したときは前記クライアント信号を前記伝送速度のＳＤＨ信号であると判断し、
前記クライアント信号の前記伝送速度が前記フレーム同期則記憶回路が記憶しているＯＴＮ信号の前記フレーム同期則に存在するか否かを確認し、存在する場合には前記フレーム同期則を前記フレーム同期回路に送信し、前記フレーム同期回路からフレーム同期するという結果を受信したときは前記クライアント信号を前記伝送速度のＯＴＮ信号であると判断し、
前記クライアント信号の前記伝送速度が前記フレーム同期則記憶回路が記憶しているＩＥＥＥ８０２．３信号の前記フレーム同期則に存在するか否かを確認し、存在する場合には前記フレーム同期則を前記フレーム同期回路に送信し、前記フレーム同期回路からフレーム同期するという結果を受信したときは前記クライアント信号を前記伝送速度のＩＥＥＥ８０２．３信号であると判断し、
前記クライアント信号の前記伝送速度が前記フレーム同期則記憶回路が記憶しているファイバチャネル信号の前記フレーム同期則に存在するか否かを確認し、存在する場合には前記フレーム同期則を前記フレーム同期回路に送信し、前記フレーム同期回路からフレーム同期するという結果を受信したときは前記クライアント信号を前記伝送速度のファイバチャネル信号であると判断することを特徴とする請求項３に記載の送信装置。
【請求項５】
前記フレーム生成回路は、
前記種別情報がＯＴＮ信号を示す場合には、前記クライアント信号のヘッダに含まれている誤り訂正種別情報を読み取り、前記誤り訂正種別情報に対応する誤り訂正を解除した前記クライアント信号を前記フレーム生成則に従って、前記通信事業者管理フレームにマッピングし、前記通信事業者管理フレームを生成する際に、前記誤り訂正種別情報を前記通信事業者管理フレームのヘッダに書き込むことを特徴とする請求項１乃至３のいずれか１つに記載の送信装置。
【請求項６】
前記フレーム生成回路は、前記クライアント信号のヘッダのＲＥＳバイトから誤り訂正種別信号を読み取ることを特徴とする請求項５に記載の送信装置。
【請求項７】
通信事業者の伝送装置とクライアント端末とを接続する受信装置であって、
前記伝送装置から通信事業者管理フレームを受信する通信事業者管理フレーム受信回路と、
前記通信事業者管理フレーム受信回路から前記通信事業者管理フレームを受信し、前記通信事業者管理フレームに含まれている前記クライアント端末で利用するクライアント信号の種別を示す種別情報を読み取るクライアント信号読取回路と、
前記クライアント信号の前記種別情報ごとに前記通信事業者管理フレームを解除するフレーム解除則を予め記憶しているフレーム解除則記憶回路と、
前記クライアント信号読取回路によって読み取った前記種別情報に従って前記フレーム解除則記憶回路から該当する前記フレーム解除則を選択するフレーム解除則選択回路と、
選択された前記フレーム解除則に従って、前記通信事業者管理フレーム受信回路から受信した前記通信事業者管理フレームを解除し、前記クライアント信号を生成して前記クライアント端末へ送信するフレーム解除回路と、
を備えたことを特徴とする受信装置。
【請求項８】
前記フレーム解除回路は、
前記種別情報がＯＴＮ信号を示す場合に、前記通信事業者管理フレームのヘッダに含まれている誤り訂正種別情報を読み取り、読み取った前記誤り訂正種別情報に従って誤り訂正を施した前記クライアント信号を生成し、前記クライアント端末へ送信することを特徴とする請求項７に記載の受信装置。
【請求項９】
前記フレーム解除回路は、
前記通信事業者管理フレームのヘッダのＲＥＳバイトから前記誤り訂正種別情報を読み取ることを特徴とする請求項８に記載の受信装置。
【請求項１０】
クライアント端末と通信事業者の伝送装置に接続する送信装置のデータ送信方法であって、
前記クライアント端末から複数の種別の前記クライアント信号を受信する過程と、
受信した前記クライアント信号に含まれている信号の種別情報を識別する過程と、
識別された前記種別情報に従って、前記伝送装置によって伝送される通信事業者管理フレームに前記クライアント信号をマッピングする予め前記種別情報ごとに記憶しているフレーム生成則から該当する前記フレーム生成則を選択する過程と、
選択された前記フレーム生成則に従って、受信し前記クライアント信号及び前記種別情報を前記通信事業者管理フレームにマッピングして生成した前記通信事業者管理フレームを前記伝送装置に送信する過程と、
からなることを特徴とするデータ送信方法。
【請求項１１】
通信事業者の伝送装置とクライアント端末に接続する受信装置のデータ受信方法であって、
前記伝送装置から通信事業者管理フレームを受信する過程と、
前記通信事業者管理フレーム受信回路から前記通信事業者管理フレームを受信し、前記通信事業者管理フレームに含まれている前記クライアント端末で利用するクライアント信号の種別を示す種別情報を読み取る過程と、
読み取った前記種別情報に従って、予め前記種別情報ごとに記憶している前記通信事業者管理フレームを解除するフレーム解除則から該当する前記フレーム解除則を選択する過程と、
選択された前記フレーム解除則に従って、前記通信事業者管理フレーム受信回路から受信した前記通信事業者管理フレームを解除し、前記クライアント信号を生成して前記クライアント端末へ送信する過程と、
からなることを特徴とするデータ受信方法。
【請求項１２】
クライアント端末と通信事業者の伝送装置に接続する送信装置のコンピュータに、
前記クライアント端末から複数の種別の前記クライアント信号を受信する手順、
受信した前記クライアント信号に含まれている信号の種別情報を識別する手順、
識別された前記種別情報に従って、前記伝送装置によって伝送される通信事業者管理フレームに前記クライアント信号をマッピングする予め前記種別情報ごとに記憶しているフレーム生成則から該当する前記フレーム生成則を選択する手順、
選択された前記フレーム生成則に従って、受信し前記クライアント信号及び前記種別情報を前記通信事業者管理フレームにマッピングして生成した前記通信事業者管理フレームを前記伝送装置に送信する手順、
を実行させる信号送信プログラム。
【請求項１３】
通信事業者の伝送装置とクライアント端末に接続する受信装置のコンピュータに、
前記伝送装置から通信事業者管理フレームを受信する手順、
前記通信事業者管理フレーム受信回路から前記通信事業者管理フレームを受信し、前記通信事業者管理フレームに含まれている前記クライアント端末で利用するクライアント信号の種別を示す種別情報を読み取る手順、
読み取った前記種別情報に従って、予め前記種別情報ごとに記憶している前記通信事業者管理フレームを解除するフレーム解除則から該当する前記フレーム解除則を選択する手順、
選択された前記フレーム解除則に従って、前記通信事業者管理フレーム受信回路から受信した前記通信事業者管理フレームを解除し、前記クライアント信号を生成して前記クライアント端末へ送信する手順、
を実行させる信号受信プログラム。
【発明の詳細な説明】
【技術分野】
【０００１】
本発明は、主にクライアント端末から送信される様々な形式のクライアント信号を通信事業者の通信信号へ変換する送信装置及び通信事業者の通信信号から適切な形式のクライアント信号へ復元する受信装置とその送信方法及び受信方法並びに送信プログラム及び受信プログラムに関する。
【背景技術】
【０００２】
従来、長距離通信を行う際に、通信事業者はＳＤＨ（Ｓｙｎｃｈｒｏｎｏｕｓ  Ｄｉｇｉｔａｌ  Ｈｉｅｒａｒｃｈｙ）網のような、通信事業者の管理する大容量の基幹網に複数のクライアントの端末から送信されるクライアント信号を収容し、クライアント信号を多重化して対地ノードの近傍まで伝送するにより、通信品質の向上及び通信コストの低減を図っている。また近年では、このＳＤＨ信号をもクライアント信号として収容可能なＯＴＮ（Ｏｐｔｉｃａｌ  Ｔｒａｎｓｐｏｒｔ  Ｎｅｔｗｏｒｋ）網の検討も進められている。
このとき、基幹網の通信事業者管理フレームに効率良くクライアント信号を収容し、基幹網の伝送容量の無駄を抑えるため、一旦クライアント信号を終端し、クライアント信号の種別ごとに決められた規則に従って通信事業者管理フレームにマッピングする必要がある。従来の技術では、クライアント信号の種別に対応するインターフェースボードを準備し、クライアント信号が変更された場合には、インターフェースボードを取り替えるということが行われていた。
【非特許文献１】“ＩＴＵ−Ｔ  Ｇ．７０７／Ｙ．１３２２  Ｎｅｔｗｏｒｋ  ｎｏｄｅ  ｉｎｔｅｒｆａｃｅ  ｆｏｒ  ｔｈｅ  Ｓｙｎｃｈｒｏｎｏｕｓ  Ｄｉｇｉｔａｌ  Ｈｉｅｒａｒｃｈｙ（ＳＤＨ）”，ＩＴＵ−Ｔ，２００３年１２月
【非特許文献２】“ＩＴＵ−Ｔ  Ｇ．７０９  Ｉｎｔｅｒｆａｃｅ  ｆｏｒ  ｔｈｅ  ｏｐｔｉｃａｌ  ｔｒａｎｓｐｏｒｔ  ｎｅｔｗｏｒｋ（ＯＴＮ）”，ＩＴＵ−Ｔ，２００１年2月
【非特許文献３】“ＩＥＥＥ８０２．３  Ｐａｒｔ３：Ｃａｒｒｉｅｒ  ｓｅｎｓｅ  ｍｕｌｔｉｐｌｅ  ａｃｃｅｓｓ  ｗｉｔｈ  ｃｏｌｌｉｓｉｏｎ  ｄｅｔｅｃｔｉｏｎ（ＣＳＭＡ／ＣＤ）  ａｃｃｅｓｓ  ｍｅｔｈｏｄ  ａｎｄ  ｐｈｙｓｉｃａｌ  ｌａｙｅｒ  ｓｐｅｃｉｆｉｃａｔｉｏｎｓ”，ＩＥＥＥ，２００２年３月８日
【非特許文献４】“ＩＴＵ−Ｔ  Ｇ．７０４  Ｇｅｎｅｒｉｃ  ｆｒａｍｉｎｇ  ｐｒｏｃｅｄｕｒｅ（ＧＦＰ）”，ＩＴＵ−Ｔ、２００１年１２月
【非特許文献５】アイピーフレックス株式会社、“ダイナミック・リコンフィギュラブル・プロセッサ”、[online]、[平成１６年４月２３日検索]、インターネット<URL:http://www.ipflex.com/>
【発明の開示】
【発明が解決しようとする課題】
【０００３】
しかしながら、近年、ユーザネットワークにおけるＳＤＨ信号の利用、ＩＥＥＥ８０２．３信号などのＩＰ系トラフィックの増大、ＯＴＮ信号（非特許文献２に示す規格のＯＴＮ信号を意味するが、慣例に従い、該規格外の誤り訂正符合を用いた信号を含めてＯＴＮ信号と呼ぶ。）の検討により、クライアント信号として収容すべき信号の種別が増大している（非特許文献１、非特許文献２、非特許文献３参照）。そのため、新たな種別のインターフェースボードを準備する際には時間を要し、また、故障時のために多くの予備を備えておかなければならないという問題がある。
【０００４】
本発明は、上記問題を解決すべくなされたもので、その目的は、クライアント信号の種別ごとにインターフェースボードを準備する必要なく、複数の種別のクライアント信号を通信事業者管理フレームへマッピングする送信装置と、通信事業者管理フレームからクライアント信号を再生する受信装置を提供することにある。
【課題を解決するための手段】
【０００５】
上述した課題を解決するために、本発明は、クライアント端末と通信事業者の伝送装置（例えば、多重化伝送装置３０ａ）とを接続する送信装置（例えば、送信装置１０）であって、前記クライアント端末から複数の種別のクライアント信号を受信するクライアント信号受信回路（例えば、信号分岐回路１１）と、前記クライアント信号受信回路から前記クライアント信号を受信し、前記クライアント信号に含まれている信号の種別情報を識別するクライアント信号識別回路（例えば、クライアント信号識別回路５０）と、前記伝送装置によって伝送される通信事業者管理フレームに前記クライアント信号をマッピングする規則であるフレーム生成則を前記クライアント信号の前記種別情報ごとに予め記憶するフレーム生成則記憶回路（例えば、フレーム生成則記憶回路１５）と、前記クライアント信号識別回路によって識別された前記種別情報に従って、前記フレーム生成則記憶回路から該当する前記フレーム生成則を選択するフレーム生成則選択回路（例えば、フレーム生成即選択回路１４）と、選択された前記フレーム生成則に従って、前記クライアント信号受信回路から受信した前記クライアント信号を前記通信事業者管理フレームにマッピングして生成した前記通信事業者管理フレームを前記伝送装置に送信するフレーム生成回路（例えば、フレーム生成回路１２）と、を備えたことを特徴とする送信装置を提案している。
【０００６】
本発明は、上記の発明において、前記クライアント信号に含まれている管理情報の読み取り規則である管理情報読取則を前記クライアント信号の前記種別情報ごとに記憶する管理情報読取則記憶回路（例えば、管理情報読取則記憶回路４０）と、前記クライアント信号識別回路から前記クライアント信号の前記種別情報を受信し、前記種別情報に対応する前記管理情報読取則を前記管理情報読取則記憶回路から選択する管理情報読取則選択回路（例えば、管理情報読取則選択回路１６）と、選択された前記管理情報読取則に従って、前記クライアント信号受信回路から受信した前記クライアント信号の前記管理情報を読み取って前記管理情報を外部に出力し、前記クライアント信号を前記フレーム生成回路に送信する管理情報読取回路（例えば、管理情報読取回路１７）と、を備えたことを特徴とする。
【０００７】
本発明は、上記の発明において、前記クライアント信号識別回路は、受信した前記クライアント信号の伝送速度を識別する伝送速度識別回路（例えば、伝送速度識別回路５２）と、前記クライアント信号の種類情報及び前記伝送速度に対応するフレーム同期則を記憶しているフレーム同期則記憶回路（例えば、フレーム同期則記憶回路５０）と、前記伝送速度識別回路によって識別された前記伝送速度に従って、前記クライアント信号が前記通信事業者管理フレームに同期するまで前記フレーム同期則記憶回路から該当する前記フレーム同期則を選択し、同期した時点の前記種類情報と前記伝送速度から特定される前記種別情報を出力するフレーム同期則選択回路（例えば、フレーム同期則選択回路５３）と、前記フレーム同期則選択回路によって選択された前記フレーム同期則に従って、前記クライアント信号と前記通信事業者管理フレームの間で同期を行い、同期したか否かの結果を前記フレーム同期則選択回路に送信するフレーム同期回路（例えば、フレーム同期回路５４）と、を備えたことを特徴とする。
【０００８】
本発明は、上記の発明において、前記フレーム同期則記憶回路は、ＳＤＨ信号と、ＯＴＮ信号と、ＩＥＥＥ８０２．３信号と、ファイバチャネル信号を前記種類情報とし、前記種類情報ごとに前記フレーム同期則を記憶しており、前記フレーム同期則選択回路は、前記クライアント信号の前記伝送速度が前記フレーム同期則記憶回路が記憶しているＳＤＨ信号の前記フレーム同期則に存在するか否かを確認し、存在する場合には前記フレーム同期則を前記フレーム同期回路に送信し、前記フレーム同期回路からフレーム同期するという結果を受信したときは前記クライアント信号を前記伝送速度のＳＤＨ信号であると判断し、前記クライアント信号の前記伝送速度が前記フレーム同期則記憶回路が記憶しているＯＴＮ信号の前記フレーム同期則に存在するか否かを確認し、存在する場合には前記フレーム同期則を前記フレーム同期回路に送信し、前記フレーム同期回路からフレーム同期するという結果を受信したときは前記クライアント信号を前記伝送速度のＯＴＮ信号であると判断し、前記クライアント信号の前記伝送速度が前記フレーム同期則記憶回路が記憶しているＩＥＥＥ８０２．３信号の前記フレーム同期則に存在するか否かを確認し、存在する場合には前記フレーム同期則を前記フレーム同期回路に送信し、前記フレーム同期回路からフレーム同期するという結果を受信したときは前記クライアント信号を前記伝送速度のＩＥＥＥ８０２．３信号であると判断し、前記クライアント信号の前記伝送速度が前記フレーム同期則記憶回路が記憶しているファイバチャネル信号の前記フレーム同期則に存在するか否かを確認し、存在する場合には前記フレーム同期則を前記フレーム同期回路に送信し、前記フレーム同期回路からフレーム同期するという結果を受信したときは前記クライアント信号を前記伝送速度のファイバチャネル信号であると判断することを特徴とする。
【０００９】
本発明は、上記の発明において、前記フレーム生成回路は、前記種別情報がＯＴＮ信号を示す場合には、前記クライアント信号のヘッダに含まれている誤り訂正種別情報を読み取り、前記誤り訂正種別情報に対応する誤り訂正を解除した前記クライアント信号を前記フレーム生成則に従って、前記通信事業者管理フレームにマッピングし、前記通信事業者管理フレームを生成する際に、前記誤り訂正種別情報を前記通信事業者管理フレームのヘッダに書き込むことを特徴とする。
【００１０】
本発明は、上記の発明において、前記フレーム生成回路は、前記クライアント信号のヘッダのＲＥＳバイトから誤り訂正種別信号を読み取ることを特徴とする。
【００１１】
本発明は、上記の発明において、通信事業者の伝送装置（例えば、多重化伝送装置３０ｂ）とクライアント端末とを接続する受信装置（例えば、受信回路２０）であって、前記伝送装置から通信事業者管理フレームを受信する通信事業者管理フレーム受信回路（例えば、信号分岐回路２１）と、前記通信事業者管理フレーム受信回路から前記通信事業者管理フレームを受信し、前記通信事業者管理フレームに含まれている前記クライアント端末で利用するクライアント信号の種別を示す種別情報を読み取るクライアント信号読取回路（例えば、クライアント信号読取回路２３）と、前記クライアント信号の前記種別情報ごとに前記通信事業者管理フレームを解除するフレーム解除則を予め記憶しているフレーム解除則記憶回路（例えば、フレーム解除則記憶回路２５）と、前記クライアント信号読取回路によって読み取った前記種別情報に従って前記フレーム解除則記憶回路から該当する前記フレーム解除則を選択するフレーム解除則選択回路（例えば、フレーム解除則選択回路２４）と、選択された前記フレーム解除則に従って、前記通信事業者管理フレーム受信回路から受信した前記通信事業者管理フレームを解除し、前記クライアント信号を生成して前記クライアント端末へ送信するフレーム解除回路（例えば、フレーム解除回路２２）と、を備えたことを特徴とする受信装置である。
【００１２】
本発明は、上記の発明において、前記フレーム解除回路は、前記種別情報がＯＴＮ信号を示す場合に、前記通信事業者管理フレームのヘッダに含まれている誤り訂正種別情報を読み取り、読み取った前記誤り訂正種別情報に従って誤り訂正を施した前記クライアント信号を生成し、前記クライアント端末へ送信することを特徴とする。
【００１３】
本発明は、上記の発明において、前記フレーム解除回路は、前記通信事業者管理フレームのヘッダのＲＥＳバイトから前記誤り訂正種別情報を読み取ることを特徴とする。
【００１４】
本発明は、クライアント端末と通信事業者の伝送装置に接続する送信装置のデータ送信方法であって、前記クライアント端末から複数の種別の前記クライアント信号を受信する過程と、受信した前記クライアント信号に含まれている信号の種別情報を識別する過程と、識別された前記種別情報に従って、前記伝送装置によって伝送される通信事業者管理フレームに前記クライアント信号をマッピングする予め前記種別情報ごとに記憶しているフレーム生成則から該当する前記フレーム生成則を選択する過程と、選択された前記フレーム生成則に従って、受信し前記クライアント信号及び前記種別情報を前記通信事業者管理フレームにマッピングして生成した前記通信事業者管理フレームを前記伝送装置に送信する過程と、からなることを特徴とするデータ送信方法である。
【００１５】
本発明は、通信事業者の伝送装置とクライアント端末に接続する受信装置のデータ受信方法であって、前記伝送装置から通信事業者管理フレームを受信する過程と、前記通信事業者管理フレーム受信回路から前記通信事業者管理フレームを受信し、前記通信事業者管理フレームに含まれている前記クライアント端末で利用するクライアント信号の種別を示す種別情報を読み取る過程と、読み取った前記種別情報に従って、予め前記種別情報ごとに記憶している前記通信事業者管理フレームを解除するフレーム解除則から該当する前記フレーム解除則を選択する過程と、選択された前記フレーム解除則に従って、前記通信事業者管理フレーム受信回路から受信した前記通信事業者管理フレームを解除し、前記クライアント信号を生成して前記クライアント端末へ送信する過程と、からなることを特徴とするデータ受信方法である。
【００１６】
本発明は、クライアント端末と通信事業者の伝送装置に接続する送信装置のコンピュータに、前記クライアント端末から複数の種別の前記クライアント信号を受信する手順、受信した前記クライアント信号に含まれている信号の種別情報を識別する手順、識別された前記種別情報に従って、前記伝送装置によって伝送される通信事業者管理フレームに前記クライアント信号をマッピングする予め前記種別情報ごとに記憶しているフレーム生成則から該当する前記フレーム生成則を選択する手順、選択された前記フレーム生成則に従って、受信し前記クライアント信号及び前記種別情報を前記通信事業者管理フレームにマッピングして生成した前記通信事業者管理フレームを前記伝送装置に送信する手順、を実行させる信号送信プログラムである。
【００１７】
本発明は、通信事業者の伝送装置とクライアント端末に接続する受信装置のコンピュータに、前記伝送装置から通信事業者管理フレームを受信する手順、前記通信事業者管理フレーム受信回路から前記通信事業者管理フレームを受信し、前記通信事業者管理フレームに含まれている前記クライアント端末で利用するクライアント信号の種別を示す種別情報を読み取る手順、読み取った前記種別情報に従って、予め前記種別情報ごとに記憶している前記通信事業者管理フレームを解除するフレーム解除則から該当する前記フレーム解除則を選択する手順、選択された前記フレーム解除則に従って、前記通信事業者管理フレーム受信回路から受信した前記通信事業者管理フレームを解除し、前記クライアント信号を生成して前記クライアント端末へ送信する手順、を実行させる信号受信プログラムである。
【発明の効果】
【００１８】
この発明によれば、送信装置は、クライアント端末から複数の種別のクライアント信号を受信し、受信したクライアント信号に含まれている信号の種別情報を識別する。そして、識別した種別情報に対応するフレーム生成則を予め記憶している記憶領域から読み出して、読み出したフレーム生成則に従って、クライアント信号及び種別情報を通信事業者管理フレームにマッピングして通信事業者管理フレームを生成し、伝送装置に送信する構成となっている。そのため、未知のクライアント信号を受信した場合に、自動的にその種別を識別して、種別に対応するフレーム生成則に従って、通信事業者管理フレームを生成することが可能となる。それによって、クライアント信号の種別ごとにインタフェースを変換する必要がなしに通信事業者管理フレームにマッピングすることが可能となる。また、それによって、インターフェースボードの運用管理コスト等を抑えることが可能となる。
【００１９】
また、本発明によれば、送信装置は、クライアント信号に含まれている管理情報を読み取り管理情報を外部に出力する構成となっている。そのため、通信事業者は、クライアント信号の管理情報を参照することが可能となる。それによって、クライアント信号によって通知される警報情報等を得ることができ、障害発生時の原因特定や迅速な復旧を行うことができ、高品質な通信を提供することができる。
【００２０】
また、本発明によれば、送信装置は、受信したクライアント信号の伝送速度を識別し、予め記憶しているクライアント信号の種類情報と伝送速度の組み合わせに対応するフレーム同期則からクライアント信号が通信事業者フレームに同期することができるフレーム同期則を同期できるまで選択しつづける。そして、同期した時点の選択したフレーム同期則に対応する種類情報と伝送速度をクライアント信号の種別情報として出力し、その種別情報に従って通信事業者フレームへのマッピングを行う構成となっている。そのため、クライアント信号の伝送信号を同期が可能なクライアント信号種別を自動的に識別することが可能となる。
【００２１】
また、本発明によれば、クライアント信号の種類情報としてＳＤＨ信号、ＯＴＮ信号、ＩＥＥＥ８０２．３信号及びファイバチャネル信号を記憶しており、また、当該信号の種類及びその伝送速度ごとにフレーム同期則を記憶している。そして、同期する伝送速度を識別し、その時のクライアント信号の種類を識別し、伝送速度と種類によって特定される信号種別を出力する構成となっている。そのため、クライアント信号が該当する信号種別を自動的に識別することが可能となる。
【００２２】
また、本発明によれば、クライアント信号の種別情報がＯＴＮ信号を示す場合には、クライアント信号のヘッダに含まれている誤り訂正種別情報を読み取り、誤り訂正種別情報に対応する誤り訂正を解除したクライアント信号を通信事業者管理フレームにマッピングする。そして、通信事業者管理フレームを生成する際に、誤り訂正種別情報を通信事業者管理フレームのヘッダに書き込む構成となっている。そのため、クライアント信号がＯＴＮ信号の場合には、誤り訂正種別の情報を伝送時に取り除くことができるため、誤り訂正符号の種別に関係なく信号収容効率の向上が可能となる。
【００２３】
また、本発明によれば、受信装置は、通信事業者の伝送装置から通信事業者管理フレームを受信し、通信事業者管理フレームに含まれているクライアント端末で利用するクライアント信号の種別を示す種別情報を読み取る。そして、読み取った種別情報に従って予め記憶しているクライアント信号の種別情報ごとに通信事業者管理フレームを解除するフレーム解除則から該当するフレーム解除則を選択する。選択されたフレーム解除則に従って、通信事業者管理フレーム受信回路から受信した通信事業者管理フレームを解除し、クライアント信号を生成してクライアント端末へ送信する構成となっている。そのため、上記送信装置が受信したクライアント信号の種別を通信事業者管理フレームから自動的に識別して、元のクライアント信号へ再生することが可能となる。
【００２４】
また、本発明によれば、受信装置は、通信事業者管理フレームに含まれている種別情報がＯＴＮ信号を示す場合に、通信事業者管理フレームのヘッダに含まれている誤り訂正種別情報を読み取り、通信事業者管理フレームを解除する際に、読み取った誤り訂正種別情報に従って誤り訂正を施したクライアント信号を再生する構成となっている。そのため、クライアント信号がＯＴＮ信号の場合には、送信時に取り除いた誤り訂正種別の情報を再生してクライアント端末へ送信することが可能となる。
【発明を実施するための最良の形態】
【００２５】
以下、本発明の一実施形態による送信装置及び受信装置を図面を参照して説明する。
図１は、本実施形態による送信装置１０及び受信装置２０並びにその接続形態を示す概略ブロック図である。なお、同図において、実線は、クライアント端末からのデータ信号などの主信号を示し、破線は装置の制御に使う制御信号を示す。
同図において、送信装置１０は、図示しないクライアント端末からクライアント信号を受信し、クライアント信号を通信事業者管理フレームにマッピングして多重化伝送装置３０ａに送信する。多重化伝送装置３０ａは対向する多重化伝送装置３０ｂに通信事業者管理フレームを送信する。受信装置２０は、多重化伝送装置３０ｂから通信事業者管理フレームを受信し、通信事業者管理フレームからクライアント信号を再生してクライアント端末へ送信する。
送信機１０において、信号分岐回路１１は、クライアント端末からクライアント信号を受信して信号を分岐する。クライアント信号識別回路５０は、信号分岐回路１１からクライアント信号を受信し、クライアント信号のヘッダからクライアント信号の種別情報を読み出す。フレーム生成則記憶回路１５は、クライアント信号の種別ごとに通信事業者管理フレームへクライアント信号をマッピングする規則を示したフレーム生成則１５−１〜１５−ｎを記憶する。フレーム生成則選択回路１４は、クライアント信号識別回路５０からクライアント信号の種別情報を受信し、フレーム生成則記憶回路１５から該当するフレーム生成則を選択する。フレーム生成回路１２は、信号分岐回路１１からクライアント信号を受信し、フレーム生成則記憶回路１５から選択されたフレーム生成則に従って、クライアント信号を通信事業者管理フレームへマッピングし、通信事業者管理フレームのヘッダにクライアント信号の種別情報を設定して多重化伝送装置３０ａに送信する。
【００２６】
受信装置２０において、信号分岐回路２１は、多重化伝送装置３０ｂから通信事業者管理フレームを受信して分岐する。クライアント信号読取回路２３は、信号分岐回路２１から通信事業者管理フレームを受信し、通信事業者管理フレームのヘッダからクライアント信号の種別情報を読み出す。フレーム解除則記憶回路２５は、クライアント信号の種別ごとに通信事業者管理フレームからクライアント信号を読み出す規則を示したフレーム解除則２５−１〜ｎを記憶している。フレーム解除則選択回路２４は、クライアント信号読取回路２３からクライアント信号の種別情報を受信し、フレーム解除則記憶回路２５から該当するフレーム解除則を選択する。フレーム解除回路２２は、信号分岐回路２１から通信事業者管理フレームを受信し、選択されたフレーム解除則をフレーム解除則記憶回路２５から受信し、通信事業者管理フレームからクライアント信号を再生して、クライアント端末へ送信する。
なお、フレーム生成回路１２及びフレーム解除回路２２等は非特許文献５に示す市販の書き換えプロセッサを用いて実現することが可能である。
【００２７】
図２は、フレーム生成回路１２がフレーム生成則１５−１〜ｎに基づいてクライアント信号から通信事業者管理フレームへのマッピングするときの規則を示した図である。
本実施形態のクライアント信号としては、例えば、ＳＤＨ信号、Ｓｔａｎｄａｒｄ  ＦＥＣのＯＴＮ信号、Ｓｕｐｅｒ  ＦＥＣのＯＴＮ信号、ＩＥＥＥ８０２．３信号、ファイバチャネル信号がある。一方、マッピングする先の通信事業者管理フレームはＯＴＮ信号のＯＤＵ（Ｏｐｔｉｃａｌ  Ｄａｔａ  Ｕｎｉｔ）フレームとしている。
同図に示すように、ＳＤＨ信号の場合にはそのままＯＤＵフレーム化して、ＯＤＵフレームを生成する。Ｓｔａｎｄａｒｄ  ＦＥＣ及びＳｕｐｅｒ  ＦＥＣのＯＴＮ信号の場合には、ＦＥＣ（Ｆｏｒｗａｒｄ  Ｅｒｒｏｒ  Ｃｏｒｒｅｃｔｉｏｎ）を解除してＯＤＵフレーム化する。ここで、ＦＥＣを解除するのは、クライアント信号のＦＥＣ種別に関わらず、効率の良い信号収容を可能とするためである。
ＩＥＥＥ８０２．３及びファイバチャネル信号の場合には、ＯＴＮ信号のＯＤＵフレームにマッピングするため非特許文献４に示すＧＦＰの方式に従ってＧＦＰフレーム化を行い、ＯＤＵフレームを生成する。
様々な種類のクライアント信号を全てＯＤＵフレーム化することで、多重化伝送装置３０ａにおいてＯＤＵフレームを多重化して効率良く伝送することが可能となる。
【００２８】
図３は、フレーム解除回路２２がフレーム解除則２５−１〜ｎに基づいて通信事業者管理フレームを解除してクライアント信号を再生する場合の規則を示した図である。
ＳＤＨ信号の場合には、ＳＤＨ信号がそのままＯＤＵフレームのペイロードにマッピングされているため、ＯＤＵフレームのペイロードから取り出すことでＳＤＨ信号を再生することができる。Ｓｔａｎｄａｒｄ  ＦＥＣ及びＳｕｐｅｒ  ＦＥＣのＯＴＮ信号の場合には、ＯＤＵフレームのペイロードから読み出した情報に対して元のクライアント信号に施されていたＦＥＣを施して信号を再生する。ＩＥＥＥ８０２．３及びファイバチャネル信号の場合には、ＯＤＵフレームのペイロードからＧＦＰフレームを取り出し、さらにＧＦＰフレームのペイロードから取り出すことでＩＥＥＥ８０２．３信号及びファイバチャネル信号を再生することができる。
【００２９】
図４は、送信装置１０において、クライアント信号に含まれている管理情報を読み出して、通信事業者が利用する場合の構成を示したブロック図である。
同図において、図１と同じ符号及び実線と破線の意味は同じであるため説明は省略する。信号分岐回路１３は、クライアント信号識別回路５０からクライアント信号種別情報を受信して、信号を分岐し、一方をフレーム生成則選択回路１４へ送信する。管理情報読取則記憶回路４０は、クライアント信号ごとにクライアント信号から管理情報を読み取る規則を示した管理情報読取則４０−１〜ｎを記憶している。管理情報読取則選択回路１６は、信号分岐回路１３からクライアント信号種別情報を受信し、管理情報読取則記憶回路４０から該当する管理情報読取則を選択する。管理情報読取回路１７は、信号分岐回路１１とフレーム生成回路１２の間に設置され、信号分岐回路１１からクライアント信号を受信し、クライアント信号をフレーム生成回路１２へ送信する。その一方で、管理情報読取則記憶回路４０から選択された管理情報読取則を読み出してクライアント信号から管理情報を読み出して、通信事業者の通信管理装置等へ出力する。通信事業者は、当該通信管理装置を介して、クライアント信号に係る警報等の管理情報を監視することが可能となる。
【００３０】
図５は、上記したクライアント信号識別回路５０のクライアント信号の自動識別に関する詳細な構成を示したブロック図である。
同図において、クライアント信号識別回路５０の信号分岐回路５１は、信号分岐回路１１からクライアント信号を受信し、クライアント信号を分岐する。伝送速度識別回路５２は、信号分岐回路５１からクライアント信号を受信し、クライアント信号の伝送速度を識別する。フレーム同期則記憶回路５５は、クライアント信号の種類と伝送速度ごとに通信事業者管理フレームに同期させる規則を示したフレーム同期則５５−１〜ｎを記憶している。フレーム同期則選択回路５３は、伝送速度識別回路５２から識別した伝送速度の情報を受信し、クライアント信号の種別を仮判定し、該当するフレーム同期則をフレーム同期則記憶回路５５から選択する。フレーム同期回路５４は、信号分岐回路５１からクライアント信号を受信し、フレーム同期則記憶回路５５から選択されたフレーム同期則を読み出し、フレーム同期を試行し、その結果をフレーム同期則選択回路５３に送信する。フレーム同期則選択回路５３は、結果が同期成功であれば、仮判定したクライアント信号の種別が正しい種別情報であるとして出力する。結果が同期成功以外であれば、同期できなかったと判定し、伝送速度が同じでフレーム構造が異なる別のフレームであると再度仮判定する。そして、結果が同期成功となるまで同じ処理を繰り返す。
【００３１】
図６及び図７を参照して、クライアント信号識別回路５０において行われるクライアント信号種別情報の識別処理について説明する。図６は、本実施形態で扱うクライアント信号の信号種別と伝送速度の一例を示した図である。同図におけるクライアント信号の種類としては、ＳＤＨ信号、Ｓｔａｎｄａｒｄ  ＦＥＣのＯＴＮ信号、Ｓｕｐｅｒ  ＦＥＣのＯＴＮ信号、ＩＥＥＥ８０２．３信号、ファイバチャネル信号がある。それぞれの信号にはそれぞれ幾つかの伝送速度がある。そして、信号種別は、信号の種類と伝送速度から一意に特定され、例えば、ＳＤＨ信号の場合で伝送速度が２．４８８Ｇｂｐｓの場合には信号種別がＳＴＭ−１６となる。
【００３２】
図７は、フレーム同期則選択回路５３、及びフレーム同期回路５４における識別処理を示したフローチャートである。最初に、伝送速度識別回路５２から伝送速度の情報を受信し、ＳＤＨの伝送速度か否かを判定する（ステップＳ１）。ＳＤＨ信号の場合には、ＳＤＨフレームに同期可能か否かを判定する（ステップＳ２）。ＳＤＨ信号に同期する場合には、伝送速度識別回路５２が検出した伝送速度を持つＳＤＨ信号と判断して出力する。同期しなかった場合には、フレーム不明として警報を出力する。
次に、ステップＳ１において、ＳＤＨ信号の伝送速度でないと判定された場合には、ＯＴＮ信号の伝送速度であるか否かを判定する（ステップＳ３）。ＯＴＮ信号の伝送速度の場合には、ＯＴＮフレームに同期可能かを判定する（ステップＳ４）。ＯＴＮ信号に同期する場合には、検出した伝送速度のＯＴＮ信号であると判断し、出力する。同期しなかった場合には、フレーム不明として警報を出力する。
次に、ステップＳ３において、ＯＴＮ信号の伝送速度でないと判定された場合には、ＩＥＥＥ８０２．３信号の伝送速度であるか否かを判定する（ステップＳ５）。ＩＥＥＥ８０２．３信号の伝送速度の場合には、ＩＥＥＥ８０２．３信号のフレームに同期するか否かを判定する（ステップＳ６）。ＩＥＥＥ８０２．３信号に同期する場合には、検出した伝送速度のＩＥＥＥ８０２．３信号であると判断し、出力する。同期しなかった場合には、フレーム不明として警報を出力する。
最後に、ステップＳ５において、ＩＥＥＥ８０２．３信号の伝送速度でないと判定された場合に、ファイバチャネル信号の伝送速度であるか否かを判定する（ステップＳ７）。ファイバチャネル信号の伝送速度の場合には、ファイバチャネル信号フレームに同期するか否かを判定する（ステップＳ８）。ファイバチャネル信号フレームに同期する場合には、検出した伝送速度のファイバチャネル信号であると判断する。同期しなかった場合には、フレーム不明として警報を出力する。そして、ステップＳ７において、ファイバチャネル信号の伝送速度にも該当しなかった場合には、クロック同期不可として警報を出力する。
警報が出力された場合には、通信事業者のオペレータが、クライアント端末のユーザに連絡を取って個別に対処することにより、警報を回避するなどの処置を取ることになる。
【００３３】
上記したクライアント信号がＯＴＮ信号である場合に、クライアント信号をそのままマッピングせずに、ＦＥＣを解除してマッピングする。その際、利用している誤り訂正種別の情報をＯＴＮフレームのどの部分を利用して送受信するのかを以下に図８及び図９を参照して説明する。
ＯＴＮ信号における誤り訂正種別としてはリードソロモン（２５５、２３９）符号が標準化されているが、伝送装置のベンダ等が独自の誤り訂正を使用している場合がある。そのため、送信装置１０は、ＯＴＮフレームを解除するために使用している誤り訂正種別を識別する必要がある。送信装置１０で、誤り訂正種別を識別するためには、クライアント端末においてどの種類の誤り訂正種別を利用しているかを示す情報を設定する必要がある。本実施形態では、以下に説明するＯＴＮ信号のＦＡＳバイトの一部や予約されているＲＥＳバイトが誤り訂正種別の情報を設定することが可能なフィールドとして提案している。
図８及び図９は、ＯＴＮ信号のフレームを示した図である。図８においてＦＡ  ＯＨ（Ｆｒａｍｅ  Ａｌｉｇｎｍｅｎｔ  ＯｖｅｒＨｅａｄ）及び、ＯＴＵｋ  ＯＨ（Ｏｐｔｉｃａｌ  Ｔｒａｎｓｐｏｒｔ  Ｕｎｉｔ  ｋ  ＯｖｅｒＨｅａｄ、ｋは、多重されている中のｋ番目を意味する）の箇所がＯＴＮ信号のヘッダとなる。ＯＴＮフレームの３８２５バイトから４０６０バイトのＯＴＵｋＦＥＣは、ＯＴＵのｋ番目のユニットに対するＦＥＣ情報である。１５バイトから３８２４バイトまでは実際のデータを書き込むペイロードである。
ＦＡ  ＯＨは、さらにＦＡＳ（Ｆｒａｍｅ  Ａｌｉｇｎｍｅｎｔ  Ｓｉｇｎａｌ）とＭＦＡＳ（Ｍｕｌｔｉ  Ｆｒａｍｅ  Ａｌｉｇｎｍｅｎｔ  Ｓｉｇｎａｌ）から構成されている。ＯＴＵｋ  ＯＨは、ＳＭ（Ｓｅｃｔｉｏｎ  Ｍｏｎｉｔｏｒｉｎｇ）、ＧＣＣ０（Ｇｅｎｅｒａｌ  Ｃｏｍｍｕｎｉｃａｔｉｏｎ  Ｃｈａｎｎｅｌ  ０）、ＲＥＳ（Ｒｅｓｅｒｖｅｄ）から構成されている。
【００３４】
ＯＴＮフレームのうち、図９に示すＦＡ  ＯＨの部分はスクランブルされないため、ＦＡ  ＯＨの部分に誤り訂正情報を設定した場合には、そのまま読み取りが可能となる。しかし、ＯＴＵｋ  ＯＨのＲＥＳバイト部を利用する場合には、ＲＥＳバイト部はスクランブルされるため、デスクランブルする必要がある。デスクランブル後に、ＲＥＳバイトから誤り訂正種別を読み取ることも可能であるが、動作速度向上の観点から、誤り訂正種別の情報がある部分のみを部分的に読み出して判別することも可能である。このスクランブルは、ＯＴＮフレームの先頭からの位置に応じて決まったパターンとなるため、パターン照合により識別情報を読み出すことが可能である。
【００３５】
図１０は、上述したスクランブルされているＲＥＳバイトの部分を使用する際の書込みの例を示した図であり、図１１は、スクランブルされているＲＥＳバイトの部分のみをデスクランブルする際の読み出しの例を示した図である。スクランブルパターンが固定的に決まっているため、図に示すように固定されているスクランブルパターンにより部分的にスクランブル及びデスクランブルすることが可能となる。
【００３６】
上述の送信装置及び受信装置は内部に、コンピュータシステムを有している。そして、上述した送信装置及び受信装置における処理過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【００３７】
【図１】本実施形態による送信装置及び受信装置の構成を示すブロック図である。
【図２】同実施形態におけるクライアント信号から通信事業者管理フレームへのマッピングを説明するための図である。
【図３】同実施形態における通信事業者管理フレームからクライアント信号への再生を説明するための図である。
【図４】同実施形態における送信装置に管理情報を読み取る機能を追加した構成を示すブロック図である。
【図５】同実施形態におけるクライアント信号識別回路の構成を示すブロック図である。
【図６】同実施形態における信号種別と伝送速度の組み合わせを示した図である。
【図７】同実施形態におけるクライアント信号識別の処理を示したフローチャートである。
【図８】同実施形態におけるＯＴＮ信号のフレーム構成図（その１）である。
【図９】同実施形態におけるＯＴＮ信号のフレーム構成図（その２）である。
【図１０】同実施形態におけるＯＴＮ信号のヘッダを部分的にスクランブルする手段を説明するための図である。
【図１１】同実施形態におけるＯＴＮ信号のヘッダを部分的にデスクランブルする手段を説明するための図である。
【符号の説明】
【００３８】
１０  送信装置
１１  信号分岐回路
１２  フレーム生成回路
１４  フレーム生成則選択回路
１５  フレーム生成則記憶回路
５０  クライアント信号識別回路
２０  受信装置
２１  信号分岐回路
２２  フレーム解除回路
２３  クライアント信号読取回路
２４  フレーム解除則選択回路
２５  フレーム解除則記憶回路
３０ａ  多重化伝送装置
３０ｂ  多重化伝送装置
【図１】
2005328264.tif 000003
【図２】
2005328264.tif 000004
【図３】
2005328264.tif 000005
【図４】
2005328264.tif 000006
【図５】
2005328264.tif 000007
【図６】
2005328264.tif 000008
【図７】
2005328264.tif 000009
【図８】
2005328264.tif 000010
【図９】
2005328264.tif 000011
【図１０】
2005328264.tif 000012
【図１１】
2005328264.tif 000013